(57)【要約】      （修正有）【課題】非凝縮性ガスが給水中に多量含まれることを防止することにより、炉心での水の沸騰時に単位重量当たりの潜熱を大きくでき、熱効率を向上させる。【解決手段】原子炉圧力容器で発生した蒸気を主蒸気系配管を介して蒸気タービンに送給し、ここで仕事に供された蒸気を復水器で凝縮させた後、この凝縮した復水を復水ポンプにより加熱器、脱気器を介して給水系統に送り、この給水系統を経て原子炉圧力容器に原子炉給水として環流させる沸騰水型原子炉において、復水器は内部に冷却水システムから送られる冷水が導かれる伝熱管及びその下方に配設された板を備え、且つ復水溜まりの液面上部近傍又は復水溜まりの液面真下に伝熱管により熱交換されて板から流下する凝縮水を受ける板面に複数の孔を有する多孔板を水平に設ける。【選択図】図１８
2008139017.tif 000002
【特許請求の範囲】
【請求項１】
原子炉圧力容器で発生した蒸気を主蒸気系配管を介して蒸気タービンに送給し、この蒸気タービンを駆動させた蒸気を復水器で凝縮させた後、この凝縮水を復水ポンプにより加熱器および脱水器を介して給水系統に送り、原子炉圧力容器に原子炉給水として還流させる沸騰水型原子炉において、
前記復水器は内部に冷却水システムから送られる冷水が導かれる伝熱管及びその下方に配設された板を備え、
且つ復水溜まりの液面上部近傍又は復水溜まりの液面真下に前記伝熱管により熱交換されて前記板から流下する凝縮水を受ける板面に複数の孔を有する多孔板を水平に設けたことを特徴とする沸騰水型原子炉。
【請求項２】
原子炉圧力容器で発生した蒸気を主蒸気系配管を介して蒸気タービンに送給し、この蒸気タービンを駆動させた蒸気を復水器で凝縮させた後、この凝縮水を復水ポンプにより加熱器および脱水器を介して給水系統に送り、原子炉圧力容器に原子炉給水として還流させる沸騰水型原子炉において、
前記復水器は内部に冷却水システムから送られる冷水が導かれる伝熱管及びその下方に配設された板を備え、
且つ前記板より流下する復水の落下部に受け容器を設け、その下部に有する下降管からの滝流れを受ける多孔受け皿を設けるようにしたことを特徴とする沸騰水型原子炉。
【請求項３】
原子炉圧力容器で発生した蒸気を主蒸気系配管を介して蒸気タービンに送給し、この蒸気タービンを駆動させた蒸気を復水器で凝縮させた後、この凝縮水を復水ポンプにより加熱器および脱水器を介して給水系統に送り、原子炉圧力容器に原子炉給水として還流させる沸騰水型原子炉において、
前記復水器は内部に冷却水システムから送られる冷水が導かれる伝熱管及びその下方に配設された板を備え、
且つ前記板より流下する復水の落下部に受け容器を設け、その下部に有する下降管の下部に対応させてこの下降管を中心に周面に多数の流出孔を有するドーナツ状の管を水平に配設すると共に、このドーナツ状の管と下降管との間を複数本の連通管により接続するようにしたことを特徴とする沸騰水型原子炉。
【発明の詳細な説明】
【技術分野】
【０００１】
本発明は、沸騰水型原子炉の給水加熱系の循環ループの一部である低圧ドレンタンク、また、復水器に係り、特に原子炉圧力容器で発生した酸素・水素等の不凝縮性ガスを抽出する効率を良くした沸騰水型原子炉に関する。
【背景技術】
【０００２】
沸騰水型原子炉では、原子炉圧力容器で発生した蒸気を主蒸気系配管を介して蒸気タービンに送給し、ここで仕事に供された蒸気を復水器で凝縮させた後、この凝縮水を復水ポンプにより復水加熱器、脱気器等を介して給水系統に送り、この給水系統を経て原子炉圧力容器に原子炉給水として環流させている。
【０００３】
給水系統には給水力を付与するために給水ポンプとこの給水ポンプを境としてその上、下流側に配置される低圧給水ポンプおよび高圧給水ポンプとが設けられている。
【０００４】
これらの給水加熱器はいずれも複数基で構成されており、円筒内に多数の加熱管を配し、その円筒内にタービン抽気または他の蒸気を流通させると共に、加熱管内に給水を通水させ、加熱管の周壁での熱交換によって給水を加熱するようにして、熱効率の向上を図るようにしている。
【０００５】
図２２は、このような沸騰水型原子炉の給水加熱系の循環ループの概略構成を示す系統図である。
【０００６】
図２２に示すように、原子炉圧力容器２０１内の炉心２０２で発生した熱により、ポンプ２０３により循環された水が蒸気水になる。この蒸気水を気水分離器２１９および蒸気乾燥器２２０で乾き度の高い蒸気にし、主蒸気配管２０４を経てタービン２０５で仕事をした後、復水器２０６で冷却することにより酸素等の非凝縮性ガスを含んだ凝縮水となり、低圧復水ポンプ２０７により加圧された後、空気抽出器２０８に至る。この空気抽出器２０８で一部抽出された空気はオフガス処理系２０９で処理され、許容値以下の低放射能レベルのガスは排気筒２１０から排気される。
【０００７】
また、凝縮水は高圧復水ポンプ２１１で加圧され、複数段の低圧給水加熱器２１４、２１５を通って給水ポンプ２２１でさらに高圧給水加熱器２１７へ送られる。この過程で高温高圧水は給水管２１８より原子炉圧力容器内に送られる循環パスを循環する。
【０００８】
一方、複数段の給水加熱器２１４、２１５で加熱された一部の蒸気水は、低圧ドレンタンク２１３へ導かれる。低圧ドレンタンク２１３内では蒸気水中に含まれる酸素、水素等の非凝縮性ガスをオフガス抽出器２１６に吸引してオフガス処理系２０９で処理する。
【０００９】
ここで、低圧ドレンタンク２１３及びその周辺機器の構成の概要並びに加熱蒸気水の凝縮水の流れを図２３に示す。低圧給水加熱器２１４を経た凝縮水は酸素等の非凝縮性ガスを飽和溶解度を上限として残存している。これはプラントで溶存酸素濃度としてモニターし、ある一定値以下になるようにコントロールする必要がある。
【００１０】
上記低圧給水加熱器２１４からドレンタンク２１３へ流入した凝縮水は、流入口部の正面に設けられた衝突板２２２に当たって下部へ流下し、ドレンタンク２１３の下部に配設されているドーナツ板２２３を経て低圧ドレンポンプ２１２へ導かれる。また、ドレンタンク２１３の上部には、オフガス抽出器２１６が非凝縮性ガスを吸引するために接続されている。
【００１１】
上記復水器２０６の概略構成を図２４に示す。この復水器２０６は、内部に冷却水給水システム２３１から送られる海水が導かれる伝熱管２３２及びその下方に傾斜させて配設された板２３３を備え、タービン２０５の出口蒸気が蒸気流入管２３０を経て復水器２０６に導かれ、冷却水給水システム２３１から送られる海水を伝熱管２３２内を通して管群内外で熱交換をし、凝縮水として傾斜板２３３に流下した後、低圧復水ポンプ２０７に至る。
【００１２】
この際、凝縮水が液面２２４に流れ落ちるときガス巻き込みによる非凝縮性ガスを凝縮水に溶存されることは好ましくない。
【発明の開示】
【発明が解決しようとする課題】
【００１３】
このような構成の沸騰水型原子炉の給水加熱系の循環ループにおいて、図２２に示すように低圧給水加熱器２１４を経た凝縮水は酸素等の非凝縮性ガスを飽和溶解度を上限として残存している。特に溶存酸素は配管、炉内構造物等を酸化腐食する恐れがあるため、溶存酸素は除去処理して凝縮水を給水系に戻す必要がある。このため、プラントで溶存酸素濃度はモニターし、ある一定値以下になるようにコントロールする必要がある。
【００１４】
また、低圧給水加熱器２１４から低圧ドレンタンク２１３へ流入した凝縮水は、衝突板２２２に当たって下部へ流下し、ドーナツ板２２３を経て低圧ドレンポンプ２１２へ導かれる。低圧ドレンタンク２１３にはオフガス抽出器２１６が接続され、このオフガス抽出器２１６に非凝縮性ガスが吸引される。この際、吸引される非凝縮性ガスは凝縮水の表面からのみ溶出されてガス空間に抽出されるので、凝縮水のガス空間に接している表面積は大きい方が好ましい。
【００１５】
しかし、上述した構成では、凝縮水の流れ、特に滝流れによりガスが凝縮水に巻き込まれるため、給水に溶存酸素等が多く含まれることになり、配管、炉心構造材等の腐食を招く恐れがある。
【００１６】
さらに、図２４に示すように復水器２０６においては、タービン２０５の出口蒸気を蒸気流入管２３０を経て復水器２０６に導かれ、冷却水供給システム２３１から送られる海水を伝熱管２３２内を通して管群内外で熱交換をし、凝縮水として板２３３に流下した後、低圧復水ポンプ２０７に至る。
【００１７】
この際、凝縮水が液面２２４に流れ落ちるときガス巻き込みによる非凝縮性ガスを凝縮水に溶存されることになる。特に滝流れによりガスが凝縮水に巻き込まれると、低圧ドレンタンク２１３と同様に給水中に溶存酸素等が多く含まれることになり配管、炉心構造材等の腐食をまねく恐れがある。
【００１８】
以上のように給水中の非凝縮性ガス、特に溶存酸素は構造材等の腐食を招き、構造健全性を低下させる恐れがある。また、非凝縮性ガスが給水中に多量含まれると、炉心での水の沸騰時に、単位重量当たりの潜熱が小さくなり熱効率の低下につながる。
【００１９】
本発明はこのような事情に鑑みてなされたもので、非凝縮性ガスが給水中に多量含まれることを防止することにより、炉心での水の沸騰時に単位重量当たりの潜熱を大きくでき、熱効率を向上させることができる沸騰水型原子炉を提供することを目的とする。
【課題を解決するための手段】
【００２０】
本発明は上記の目的を達成するため、次のような手段により沸騰水型原子炉を構成するものである。
【００２１】
請求項１に対応する発明は、原子炉圧力容器で発生した蒸気を主蒸気系配管を介して蒸気タービンに送給し、ここで仕事に供された蒸気を復水器で凝縮させた後、この凝縮した復水を復水ポンプにより加熱器、脱気器を介して給水系統に送り、この給水系統を経て原子炉圧力容器に原子炉給水として環流させる沸騰水型原子炉において、前記復水器は内部に冷却水給水システムから送られる冷水が導かれる伝熱管及びその下方に配設された板を備え、且つ複水溜まりの液面上部近傍又は複水溜まりの液面直下に前記伝熱管により熱交換されて前記板から流下する凝縮水を受ける板面に複数の孔を有する多孔板を水平に設けたものである。
【００２２】
請求項２に対応する発明は、原子炉圧力容器で発生した蒸気を主蒸気系配管を介して蒸気タービンに送給し、ここで仕事に供された蒸気を復水器で凝縮させた後、この凝縮した復水を復水ポンプにより加熱器、脱気器を介して給水系統に送り、この給水系統を経て原子炉圧力容器に原子炉給水として環流させる沸騰水型原子炉において、前記復水器は内部に冷却水給水システムから送られる冷水が導かれる伝熱管及びその下方に配設された板を備え、且つ前記板より流下する復水の落下部に受け容器を設け、その下部に有する下降管からの滝流れを受ける多孔受け皿を水平に設けるようにしたものである。
【００２３】
請求項３に対応する発明は、原子炉圧力容器で発生した蒸気を主蒸気系配管を介して蒸気タービンに送給し、ここで仕事に供された蒸気を復水器で凝縮させた後、この凝縮した復水を復水ポンプにより加熱器、脱気器を介して給水系統に送り、この給水系統を経て原子炉圧力容器に原子炉給水として環流させる沸騰水型原子炉において、前記復水器は内部に冷却水給水システムから送られる冷水が導かれる伝熱管及びその下方に配設された板を備え、且つ前記板より流下する復水の落下部に受け容器を設け、その下部に有する下降管の下部に対応させてこの下降管を中心に周面に多数の流出孔を有するドーナツ状の管を水平状態に配設すると共に、このドーナツ状の管と下降管との間を複数本の連通管により接続するようにしたものである。
【００２４】
上記請求項１及び請求項３に対応する発明の沸騰水型原子炉にあっては、非凝縮性ガスが給水中に多量に含まれることを防止でき、炉心での水の沸騰時に単位重量当たりの潜熱を大きくでき、熱効率を向上させることが可能となる。
【発明の効果】
【００２５】
本発明によれば、非凝縮性ガスが給水中に多量に含まれることを防止することにより、炉心での水の沸騰時に単位重量当たりの潜熱を大きくでき、熱効率を向上させることができる沸騰水型原子炉を提供できる。
【発明を実施するための最良の形態】
【００２６】
以下本発明による沸騰水型原子炉の実施の形態を図面を参照して説明する。
【００２７】
図１は本発明の第１の実施の形態における給水加熱系の循環ループの一部に設けられる低圧ドレンタンク及びその周辺部の概略構成を示す断面図、図２２と同一部品には同一符号を付して説明する。
【００２８】
なお、全体の構成については図２１に示したものと概略同様なので、ここではその説明を省略する。
【００２９】
第１の実施の形態では、図１に示すように低圧給水加熱器２１４から低圧ドレンタンク２１３に凝縮水を導入する配管１を低圧ドレンタンク２１３の壁面を貫通させて水平状態に配設し、そのタンク内に位置する配管１の開口部に端栓２により閉塞し、また配管周面に複数の流出孔４を千鳥状に配列して設けるようにしたものである。この場合、端栓２に対しても流出孔４が設けられる。
【００３０】
このような構成の第１の実施の形態によれば、原子炉圧力容器２０１で発生した酸素・水素等の非凝縮性ガスを含んだ凝縮水が低圧給水加熱器２１４から低圧ドレンタンク２１３に配管１を通して流入するが、この凝縮水は配管１に設けられた複数の流出孔４から液滴３として噴出し、飛散させることができる。
【００３１】
ここで、流出孔４は半径がＲで、軸方向に対するピッチＰ、周方向個数Ｍとすれば、総個数Ｎ＝Ｐ×Ｍとなり、また端栓２の流出孔の総個数Ｈとすれば、これらの流出孔４の総開口面積はπＲ2 ×（Ｎ＋Ｈ）である。
【００３２】
従って、各流出孔４から液滴３となって流出することにより、従来のように一様に流下させる状態に比べて低圧ドレンタンク２１３内の空間部と接する表面積が大きくなり、液滴表面からの非凝縮性ガスの溶出が多くなる。このため、オフガス抽出器２１６により非凝縮性ガスを大量に吸引することができる。
【００３３】
このように本実施形態によれば、非凝縮性ガスを液滴３になった凝縮水の表面から大量にガス空間に抽出されるので、給水中の溶存酸素等の非凝縮性ガスの含有濃度を低減することができる。
【００３４】
上記実施の形態では、配管周面に複数の流出孔４を千鳥状に配列して設ける場合について述べたが、配管１に設けられる流出孔４として軸方向並びに周方向に等間隔を存して正方状に配列してもよく、また上半部周面のみに千鳥状態もしくは正方状に配列してもよい。
【００３５】
さらに、図２（ａ），（ｂ）に示すように配管１の下半部周面だけに、複数の流出孔４を千鳥状態もしくは正方状に配列してもよい。このように配管１の下半部周面にのみ流出孔４の設けることにより、液滴３同士が重なり合うことがなくなるので、それだけ空間部と接する表面積が大きくなり、液滴表面からの非凝縮性ガスの溶出が多くなる。
【００３６】
また、上記実施の形態では、低圧ドレンタンク２１３内に水平状態で挿入された配管１に径の等しい複数個の流出孔４を設ける場合について述べたが、配管１の端栓２側から凝縮水の上流側に向って孔径を徐々に大きくした流出孔４を配列したり、その逆に孔径が徐々に小さくした流出孔４を配列するようにしても、前述同様用の作用効果を得ることができる。
【００３７】
さらに、上記実施の形態では、配管１に円形の流出孔４を設ける場合について述べたが、円形の一部を切欠いた流出孔としてもよい。さらに、この流出孔の形状としては、三角、四角、星形、円形の一部を内側へ突出させた流出孔としてもよい。
【００３８】
このように形状の異なる流出孔を配管１に設けても、前述同様用の作用効果を得ることができる。
【００３９】
図３は本発明の第２の実施の形態における低圧給水加熱器から供給される酸素、水素等の非凝縮性ガスを含んだ凝縮水を低圧ドレンタンクに水平状態にして導入する配管の一部を示す断面図である。
【００４０】
第２の実施の形態では、図３（ａ）及び（ｂ）に示すように低圧ドレンタンク２１３内に位置する配管１の周面に噴出口側を絞り加工した複数の絞付き流出孔１２を周方向及び軸方向に適宜の間隔を存して設けるようにしたものである。
【００４１】
ここで、上記構成に代えて図３（ｃ）に示すように配管１の周面に中央部を絞り加工した複数の絞付き流出孔１３を周方向及び軸方向に適宜の間隔を存して設けるようにしてもよい。また、図３（ｄ）に示すように配管１の周面に入口側を絞り加工した複数の絞付き流出孔１４を周方向及び軸方向に適宜の間隔を存して設けるようにしてもよい。
【００４２】
このような構成とすれば、酸素等の非凝縮性ガスを含んだ凝縮水が絞付き流出孔の絞り部で一旦絞られた状態、または絞られてから拡散した状態で低圧ドレンタンク２１３内に噴出するので、凝縮水は各流出孔から流出する際、液滴になり易くなる。これにより、前述した実施の形態と同様に液滴表面からの非凝縮性ガスの溶出が多くなり、非凝縮性ガスをオフガス抽出器により大量に吸引することができる。
【００４３】
従って、本実施の形態によれば、非凝縮性ガスを液滴３になった凝縮水の表面から大量にガス空間に抽出されるので、給水中の溶存酸素等の非凝縮性ガスの含有濃度を低減できる。
【００４４】
上記第２の実施の形態では、低圧ドレンタンク２１３内に位置する配管１の周面に絞り部を有する流出孔１２，１３，１４に設けて凝縮水の流速を高める場合について述べたが、絞り部を設ける代りに各流出孔の出口部にじゃま板を設けるようにしてもよい。
【００４５】
この場合、各流出孔の出口部に板状の一対のじゃま板を孔中心部でクロスするように配設するようにしてもよく、また各流出孔の出口部の中央部に円盤状のじゃま板を設けるようにしてもよい。
【００４６】
このように各流出孔にじゃま板を設けることにより、酸素等の非凝縮性ガスを含んだ凝縮水はじゃま板の配置に応じた流速分布で各流出孔から液滴となって低圧ドレンタンク２１３内に噴出、飛散させることができる。これにより、前述した実施の形態と同様に液滴表面からの非凝縮性ガスの溶出が多くなり、非凝縮性ガスをオフガス抽出器２１６により大量に吸引することができる。
【００４７】
従って、前述同様に非凝縮性ガスを液滴３になった凝縮水の表面から大量にガス空間に抽出されるので、給水中の溶存酸素等の非凝縮性ガスの含有濃度を低減できる。
【００４８】
さらに、凝縮水の流速を高めて液滴として噴出させる手段として、配管１に設けられた各流出孔に噴射ノズルの一端部をそれぞれ挿入して設けるようにしてもよい。
【００４９】
このような構成とすれば、酸素等の非凝縮性ガスを含んだ凝縮水が噴射ノズルより液滴３として低圧ドレンタンク２１３内に噴出、飛散させることができるので、前述した実施の形態と同様に液滴表面からの非凝縮性ガスの溶出が多くなり、非凝縮性ガスをオフガス抽出器２１６により大量に吸引することができる。
【００５０】
図４は本発明の第３の実施の形態における低圧給水加熱器から供給される酸素、水素等の非凝縮性ガスを含んだ凝縮水を低圧ドレンタンクに水平状態にして導入する配管の一部を示す構成説明図である。
【００５１】
第３の実施の形態では、図４に示すように配管１の周面に周方向及び軸方向に複数の流出孔４を設けるとともに、これらの各流出孔４に対応させて旋回噴出ノズル１７をそれぞれ設けるようにしたものである。
【００５２】
このような構成とすれば、酸素等の非凝縮性ガスを含んだ凝縮水が旋回噴出ノズル１７より図示左回りに旋回させて液滴３として低圧ドレンタンク内に遠心力で噴出、飛散させることができるので、前述した実施の形態と同様に液滴表面からの非凝縮性ガスの溶出が多くなり、非凝縮性ガスをオフガス抽出器により大量に吸引することができる。
【００５３】
上記第３の実施の形態では、各流出孔４に旋回噴出ノズル１７を設けたが、これに代えて低圧ドレンタンク内に位置する配管１の周面に複数の斜行流出孔を周方向及び軸方向に適宜の間隔を存して設けるようにしてもよい。
【００５４】
図５は本発明の第４の実施の形態における低圧給水加熱器から供給される酸素、水素等の非凝縮性ガスを含んだ凝縮水を低圧ドレンタンクに水平状態にして導入する配管の一部を示す構成説明図である。
【００５５】
第４の実施の形態では、図５に示すように低圧ドレンタンク内に位置する配管１の開口端に球状体１９により閉塞し、この球状体１９と配管１の周面に周方向及び軸方向に複数の流出孔４をそれぞれ適宜の間隔を存して設けるようにしたものである。
【００５６】
このような構成とすれば、酸素等の非凝縮性ガスを含んだ凝縮水が配管１と球状体１９に設けられた流出孔４より液滴３として低圧ドレンタンク内に噴出、飛散させることができるので、その液滴の流出箇所が多くなり、前述した実施の形態と同様に液滴表面からの非凝縮性ガスの溶出が多くなり、非凝縮性ガスをオフガス抽出器により大量に吸引することができる。
【００５７】
従って、前述同様に非凝縮性ガスを液滴３になった凝縮水の表面から大量にガス空間に抽出されるので、給水中の溶存酸素等の非凝縮性ガスの含有濃度を低減できる。
【００５８】
上記第４の実施の形態では、配管１の開口端に球状体１９を設けたが、これに代えて、配管１の開口端をくさび状の閉塞体で閉塞し、この閉塞体と配管１の周面に複数の流出孔４を周方向及び軸方向にそれぞれ適宜の間隔を存して設けるようにしてもよい。
【００５９】
また、配管１の開口端にこれより径の小さな平形管を一体的に取付けて、この平形管の下面部に複数の流出孔をそれぞれ適宜の間隔を存して設けるようにしてもよい。
【００６０】
図６は本発明の第５の実施の形態における低圧給水加熱器から供給される酸素、水素等の非凝縮性ガスを含んだ凝縮水を低圧ドレンタンクに水平状態にして導入する配管の一部を示す構成説明図である。
【００６１】
第５の実施の形態では、図６に示すように低圧ドレンタンク内に位置する配管１の開口端に枝状の管体２２のほぼ中央部を連通させて取付け、この管体２２に周面に複数の流出孔４を適宜の間隔を存してそれぞれ設けるようにしたものである。
【００６２】
このような構成とすれば、酸素等の非凝縮性ガスを含んだ凝縮水が管体２２に設けられた流出孔４より液滴３として低圧ドレンタンク内に噴出、飛散させることができるので、その液滴の流出箇所が多くなり、前述した実施の形態と同様に液滴表面からの非凝縮性ガスの溶出が多くなり、非凝縮性ガスをオフガス抽出器により大量に吸引することができる。
【００６３】
従って、前述同様に非凝縮性ガスを液滴３になった凝縮水の表面から大量にガス空間に抽出されるので、給水中の溶存酸素等の非凝縮性ガスの含有濃度を低減できる。
【００６４】
上記第５の実施の形態では、配管１の開口端に枝状の管体２２を設けたが、これに代えて、配管１の開口端にコ字形の分岐する管体のほぼ中央部を連通させて取付け、この管体の周面に複数の流出孔４を適宜の間隔を存してそれぞれ設けたり、上下方向に分岐する管体のほぼ中央部を連通させて取付け、この管体の周面に複数の流出孔４を適宜の間隔を存してそれぞれ設けるようにしたものでも、前述同様の作用効果を得ることができる。
【００６５】
図７は本発明の第６の実施の形態における低圧給水加熱器から供給される酸素等の非凝縮性ガスを含んだ凝縮水を低圧ドレンタンクに水平状態にして導入する配管の一部を示す構成説明図である。
【００６６】
第６の実施の形態では、図７に示すように配管１の周面に複数の流出孔４を適宜の間隔を存して周方向及び軸方向にそれぞれ設け、また配管１の内周面に軸方向に凝縮水の流れがジグザグ状になるようにじゃま板２６を設けるようにしたものである。
【００６７】
このような構成とすれば、酸素等の非凝縮性ガスを含んだ凝縮水はじゃま板２６によりジグザグ状に流れることで、凝縮水から非凝縮性ガスが分離し易い状態となり、この状態で各流出孔４から液滴３として低圧ドレンタンク内に噴出、飛散させることができるので、前述した実施の形態と同様に液滴表面からの非凝縮性ガスの溶出が多くなり、非凝縮性ガスをオフガス抽出器により大量に吸引することができる。
【００６８】
従って、前述同様に非凝縮性ガスを液滴３になった凝縮水の表面から大量にガス空間に抽出されるので、給水中の溶存酸素等の非凝縮性ガスの含有濃度を低減できる。
【００６９】
上記実施の形態では、凝縮水の流れがジグザグ状になるようにじゃま板２６を配設したが、これに代えて配管１内に螺旋状の案内羽根を軸方向に挿入するようにしても前述同様の作用効果を得ることができる。
【００７０】
図８は本発明の第７の実施の形態における低圧給水加熱器から供給される酸素等の非凝縮性ガスを含んだ凝縮水を低圧ドレンタンクに水平状態にして導入する配管の一部を示す構成説明図である。
【００７１】
第７の実施の形態では、図８（ａ）に示すように低圧ドレンタンク内に位置する部分の配管１の周面に流出孔４を周方向及び軸方向に適宜の間隔を存してそれぞれ設け、また配管１の外周側面に上部から下部にかけて水平方向の長さが段階的に短く、且つ水平方向両端部を上向きに直角に折曲げた軸方向に長形なＬ形フィン２８を水平状態にしてそれぞれ取付けるようにしたものである。
【００７２】
この場合、図８（ｂ）に示すようにＬ形端部のほぼ中央部に切欠３０を設けたＬ形フィン２９を配管１に前述同様に取付けてもよい。また、複数個の切欠きを設けたＬ形フィンを配管に前述同様に取付けるようにしてもよい。
【００７３】
このような構成とすれば、酸素等の非凝縮性ガスを含んだ凝縮水は各流出孔４から噴出した後、各Ｌ形フィン２８上を水平方向に流れて、液滴３として低圧ドレンタンク内に飛散させることができる。
【００７４】
特に、流量が定格１００％に達しない５０％、７５％の部分負荷運転の場合、起動時の低流量運転では流出孔４からの流速が遅いため噴出しづらく、隣接する流出孔４からの液滴が合体して表面積が小さくなるが、本実施の形態のようにＬ形フィン２８又は３０を配列することにより、低流量の条件でもフィンの両端から液滴３として流下させることができるため、液滴になり易く表面積は大きくなる。また、１００％定格運転では流出孔４からの流速が大きいため、液滴３になり易い。
【００７５】
従って、前述した実施の形態と同様に液滴表面からの非凝縮性ガスの溶出が多くなり、非凝縮性ガスをオフガス抽出器により大量に吸引することができる。
【００７６】
また、前述同様に非凝縮性ガスを液滴３になった凝縮水の表面から大量にガス空間に抽出されるので、給水中の溶存酸素等の非凝縮性ガスの含有濃度を低減できる。
【００７７】
上記第７の実施の形態では、配管１の外周側面にＬフィン２８を設けたが、このＬフィン２８の板面に複数の流出孔を設けるようにしてもよく、またＬフィンに代えて平板状のフィンを設ける構成としても前述同様の作用効果を得ることができる。
【００７８】
さらに、配管１の外周面に螺旋状のフィンを軸方向に巻き付ける構成としてもよい。この構成にあっては、配管１の各流出孔４から噴出する液滴の一部は螺旋フィンに沿って流れ落ち、他は直接流出孔４から液滴が噴出して飛散させることができ、前述同様の作用効果を得ることができる。
【００７９】
図９は本発明の第８の実施の形態における低圧給水加熱器から供給される酸素等の非凝縮性ガスを含んだ凝縮水を低圧ドレンタンクに水平状態にして導入する配管の一部を示す構成説明図である。
【００８０】
第８の実施の形態では、図９（ａ），（ｂ）に示すように低圧ドレンタンク２１３内に位置する部分の配管１の先端部に回転散水多孔羽根３４を回転可能に取付け、この回転散水多孔羽根３４に配管１内の凝縮水を開口孔を通して流出させ、回転エネルギを与えるようにしたものである。この場合、回転散水多孔羽根３４は凝縮水の流路が卍形状に形成され、その端部には複数の流出孔がそれぞれ設けられている。
【００８１】
このような構成とすれば、酸素等の非凝縮性ガスを含んだ凝縮水が配管１の先端部に回転可能に取付けられた回転散水多孔羽根３４に流入することで回転しながら、その端部に有する流出孔から液滴となって低圧ドレンタンク２１３内に噴出し飛散させることができるので、前述した実施の形態と同様に液滴表面からの非凝縮性ガスの溶出が多くなり、非凝縮性ガスをオフガス抽出器により大量に吸引することができる。
【００８２】
従って、本実施の形態によれば、非凝縮性ガスを液滴３になった凝縮水の表面から大量にガス空間に抽出されるので、給水中の溶存酸素等の非凝縮性ガスの含有濃度を低減できる。
【００８３】
図１０は本発明の第９の実施の形態における低圧給水加熱器から供給される酸素等の非凝縮性ガスを含んだ凝縮水を低圧ドレンタンクに水平状態にして導入する配管の一部を示す構成説明図である。
【００８４】
第９の実施の形態では、図１０（ａ），（ｂ）に示すように低圧ドレンタンク２１３内に位置する部分の配管１を内管とし、その外側に外管３５を設けた二重管構造とし、これら配管１及び外管３５の周面に適宜の間隔を存して流出孔４及び３６を周方向及び軸方向にそれぞれ設けるようにしたものである。
【００８５】
ここで、内管である配管１に設けられた流出孔４と外管３５に設けられた流出孔３６は、それぞれ同径の場合と不均一径の場合がある。また、配管１の流出孔４と外管３５の流出孔３６がそれぞれ同径の場合、不均一径の場合のいずれにおいても、その孔位置関係を互いにずらせて設ける場合がある。
【００８６】
このような構成とすれば、酸素等の非凝縮性ガスを含んだ凝縮水が配管１の流出孔４から流出して一旦外管３５内に溜まり、その後外管３５の流出孔３６から液滴となって低圧ドレンタンク２１３内に噴出し飛散させることができるので、前述した実施の形態と同様に液滴表面からの非凝縮性ガスの溶出が多くなり、非凝縮性ガスをオフガス抽出器により大量に吸引することができる。
【００８７】
図１１は本発明の第１０の実施の形態における低圧給水加熱器から供給される酸素等の非凝縮性ガスを含んだ凝縮水を低圧ドレンタンクに水平状態にして導入する配管の一部を示す構成説明図である。
【００８８】
第１０の実施の形態では、図１１に示すように配管１を水平状態にして低圧ドレンタンク２１３の側壁面を貫通させ、且つ開口端をタンク内壁面に臨ませて接続し、この接続部を囲むように低圧ドレンタンク内壁面に箱体３８を取付けるとともに、この箱体３８の各面に複数の流出孔４をそれぞれ設けるようにしたものである。
【００８９】
このような構成とすれば、酸素等の非凝縮性ガスを含んだ凝縮水が配管１の開口端より箱体３８に流入し、さらにこの箱体３８の各面に設けられた流出孔４より液滴３として低圧ドレンタンク２１３内に噴出、飛散させることができるので、前述した実施の形態と同様に液滴表面からの非凝縮性ガスの溶出が多くなり、非凝縮性ガスをオフガス抽出器により大量に吸引することができる。
【００９０】
従って、前述同様に非凝縮性ガスを液滴３になった凝縮水の表面から大量にガス空間に抽出されるので、給水中の溶存酸素等の非凝縮性ガスの含有濃度を低減できる。
【００９１】
ここで、上記第１０の実施の形態において、箱体３８内に配管１の開口端に対向させてじゃま板を設けるようにしてもよい。このようにすれば、配管１から流出した凝縮水は一旦じゃま板に当たってから箱体３８の各面に設けられた流出孔４より液滴となって低圧ドレンタンク２１３内に噴出し、飛散させることができる。
【００９２】
また、箱体３８に代えてコの字形の板を設け、この板の各面に複数の流出孔を設けてもよく、また上部を開放したＬ字形の板を設け、この板の各面に複数の流出孔を設けてもよい。
【００９３】
さらに、下部を開放した逆Ｌ字形の板を設け、この板の各面に複数の流出孔４を設けてもよく、また半球状の板を配管の開口端を囲むように設けてその半球面に複数の流出孔を設けるようにしてもよい。
【００９４】
このような構成においても、前述同様の作用効果を得ることができる。
【００９５】
図１２は本発明の第１１の実施の形態における低圧給水加熱器から供給される酸素等の非凝縮性ガスを含んだ凝縮水を低圧ドレンタンクに水平状態にして導入する配管の一部を示す構成説明図である。
【００９６】
第１１の実施の形態では、図１２に示すように低圧ドレンタンク２１３に水平状態にしてタンク側壁面を貫通させ、且つ開口端をタンク内壁面に臨ませて接続し、この接続部を囲むように低圧ドレンタンク内壁面に内側箱体４４を取付けるとともに、この箱体４４の外側に外側箱体４５をそれぞれ設けて二重箱形構造とし、各箱体の各面に複数の流出孔４をそれぞれ設けるようにしたものである。
【００９７】
このような構成とすれば、酸素等の非凝縮性ガスを含んだ凝縮水が配管１の開口端より内側箱体４４に流入し、この内側箱体４４の各面に設けられた流出孔４より液滴３として外側箱体４５内に流出し、さらにこの外側箱体４５の各面に設けられた流出孔４より液滴３として低圧ドレンタンク２１３内に噴出し、飛散させることができるので、前述した実施の形態と同様に液滴表面からの非凝縮性ガスの溶出が多くなり、非凝縮性ガスをオフガス抽出器２１６により大量に吸引することができる。
【００９８】
ここで、二重箱形構造に代えて、内側開放板と外側開放板とを一部がラップするように組合せて設ける構成とし、これら内側開放板と外側開放板に流出孔を設けるようにしても、前述同様の作用効果が得られる。
【００９９】
図１３は本発明の第１２の実施の形態における低圧ドレンタンク及びその周辺機器の構成説明図である。
【０１００】
第１２の実施の形態では、図１３に示すように低圧給水加熱器２１４より低圧ドレンタンク２１３に原子炉圧力容器で発生した酸素等の非凝縮性ガスを含む凝縮水を導入する配管１を水平状態にして低圧ドレンタンク２１３の壁面を貫通させて配設し、そのタンク内に位置する配管１の周面に複数の流出孔４を周方向及び軸方向にそれぞれ設け、また低圧ドレンタンク２１３内の底部に配管１の各流出孔４から噴出した液滴３が液面に達する前に受ける板面に多数の孔を有する受板４８を設けるようにしたものである。
【０１０１】
このような構成の本実施の形態によれば、原子炉圧力容器で発生した酸素等の非凝縮性ガスを凝縮水と一緒に複数の流出孔４から液滴３として噴出し、飛散させることができる。
【０１０２】
従って、従来のように凝縮水を一様に流下させる場合に比べて表面積が大きく、液滴表面からの非凝縮性ガスの溶出が多くなるため、ドレンタンク２１６に非凝縮性ガスを大量に吸引することができる。また、液面２２４への液滴３群の突入によるエネルギーを多孔板４８へ衝突させることにより分散させ、ガス２２５の巻き込み量を低減できる。
【０１０３】
よって、本実施形態によれば非凝縮性ガスを液滴３になった凝縮水の表面から大量にガス空間に抽出されることとに加えて、給水へ流れる凝縮水液面でのガス巻き込みを低減できるため、これら両者の方法によって給水中の溶存酸素等の非凝縮性ガスの含有濃度を低減できる。
【０１０４】
図１４は本発明の第１３の実施の形態における低圧ドレンタンク及びその周辺機器の構成説明図である。
【０１０５】
第１３の実施の形態では、図１４に示すように低圧給水加熱器２１４より低圧ドレンタンク２１３に原子炉圧力容器で発生した酸素等の非凝縮性ガスを含む凝縮水を導入する配管として、低圧ドレンタンク２１３の下部壁面を水平状態に貫通させると共に低圧ドレンタンク内において垂直に立上がる垂直配管４９を配設し、その液面より上方に位置する垂直配管４９の周面に複数の流出孔４を適宜の間隔を存して周方向及び軸方向にそれぞれ設けるようにしたものである。
【０１０６】
このような構成の本実施の形態によれば、配管上の設備の関係で低圧ドレンタンク２１３の液面の上方部の壁面を水平状態に貫通させることができないような場合でも、原子炉圧力容器で発生した酸素等の非凝縮性ガスを凝縮水と一緒に複数の流出孔４から液滴３として噴出し、飛散させることができる。
【０１０７】
従って、従来のように凝縮水を一様に流下させる場合に比べて表面積が大きく、液滴表面からの非凝縮性ガスの溶出が多くなるため、ドレンタンク２１６に非凝縮性ガスを大量に吸引することができる。
【０１０８】
よって、非凝縮性ガスを液滴３になった凝縮水の表面から大量にガス空間に抽出されるので、給水中の溶存酸素等の非凝縮性ガスの含有濃度を低減できる。
【０１０９】
上記第１３の実施の形態において、低圧ドレンタンク２１３内に位置する垂直配管４９の液面より上方の周面に設けられる複数の流出孔として、水平から角度αだけ上部に傾けた斜行流出孔を設けるようにしてもよい。
【０１１０】
このような斜行流出孔とすれば、凝縮水が液滴となって上向きに噴出するので、拡散し易くなる。
【０１１１】
図１５は本発明の第１４の実施の形態における低圧ドレンタンク内に挿入された垂直配管の一部を示す構成説明図である。
【０１１２】
第１４の実施の形態では、低圧ドレンタンク２１３内の液面２２４より上方の垂直配管４９の周面に複数の流出孔４を適宜の間隔を存して周方向及び軸方向にそれぞれ設け、また配管内部に複数段のオリフィス５５を各孔位置と重ならないように軸方向に適宜の間隔を存してそれぞれ設けるようにしたものである。
【０１１３】
このような構成の本実施の形態によれば、垂直配管４９内の上方部が複数段のフリフィス５５により仕切られた各部屋で凝縮水の流入量が調整されるので、酸素等の非凝縮性ガスを凝縮水と一緒に複数の流出孔４から流速が制御された液滴３として噴出し、飛散させることができる。
【０１１４】
従って、従来のように凝縮水を一様に流下させる場合に比べて表面積が大きく、液滴表面からの非凝縮性ガスの溶出が多くなるため、ドレンタンク２１６に非凝縮性ガスを大量に吸引することができる。
【０１１５】
よって、非凝縮性ガスを液滴３になった凝縮水の表面から大量にガス空間に抽出されるので、給水中の溶存酸素等の非凝縮性ガスの含有濃度を低減できる。
【０１１６】
上記第１４の実施の形態において、垂直配管４９内に設けられた複数段のオリフィス５５の各中心部に存する孔を通して各段に対応させてじゃま板を設けるようにしてもよい。
【０１１７】
このような構成としても流出孔４から噴出する液滴３の流速が制御され、より顕著に作用効果を発揮させることができる。
【０１１８】
上記第１４の実施の形態においては、垂直配管４９内にオリフィスを複数段にして設ける場合について述べたが、低圧ドレンタンク２１３内の垂直配管４９内の上端に三角すい状ブロックをその先端を下向きにして取付け、三角すい状ブロックと垂直配管４９の内周面との間に存する間隙が上端より下方に向かって連続的に広がるようにして各流出孔４から流出する凝縮水の吹出し圧力を調整するようにしてもよい。
【０１１９】
上記と同様に垂直配管４９の上端に取り連れられる三角すい状ブロックに代えて、垂直配管４９の上端より下方に向かって段階的に大きさを小さくした段付きブロックを取付けるようにしてもよい。同様にオリフィスとブロックを組合せたじゃま板を設けるようにしてもよい。
【０１２０】
図１６は本発明の第１５の実施の形態における低圧ドレンタンク内に挿入された垂直配管の一部を示す構成説明図である。
【０１２１】
第１５の実施の形態では、図１６に示すように低圧ドレンタンク２１３内の液面２２４より上方の垂直配管４９の周面に複数の流出孔４を適宜の間隔を存して周方向及び軸方向にそれぞれ設け、また垂直配管４９の外周面に水平状態にして径の異なる複数の円板状のフイン６１を各孔位置と重ならないように軸方向に適宜の間隔を存してそれぞれ取付けるようにしたものである。
【０１２２】
この場合、各フイン６１はその外周縁部を垂直に立上げて断面Ｌ型とし、その立上部に適宜の間隔を存して複数個の切欠部６０が設けられている。また、フィン６１の径は最上部から最下部に向って段階的に小さくなるようにしてある。
【０１２３】
このような構成の本実施の形態によれば、原子炉圧力容器で発生した酸素等の非凝縮性ガスが凝縮水と一緒に垂直配管４９の複数の流出孔４から液滴３として噴出すると、この液滴３は各フィン６１に溜まり、やがて切欠部６０より溢れでるとき再度液滴３となって流下することにより飛散させることができる。特に、５０％、７５％の部分負荷運転の場合では流出孔４からの流速が遅いため、噴出しずらく隣接する流出孔からの液滴が合体して表面積が小さくなるが、フィン６１の切欠部６０から液滴として流下させることができる。
【０１２４】
従って、従来のように凝縮水を一様に流下させる場合に比べて表面積が大きく、液滴表面からの非凝縮性ガスの溶出が多くなるため、ドレンタンク２１６に非凝縮性ガスを大量に吸引することができる。特に低流量運転の時、フイン６１を伝わって切欠部６０から液滴３として飛散するため，その効果はより一層顕著になる。
【０１２５】
よって、非凝縮性ガスを液滴３になった凝縮水の表面から大量にガス空間に抽出されるので、給水中の溶存酸素等の非凝縮性ガスの含有濃度を低減できる。
【０１２６】
上記実施の形態では垂直配管４９の外周面にＬ形の立上部に切欠部６０を有するフィン６１を取付けたが、切欠部のないフィンを取付けるようにしても同様の作用効果を得ることができる。
【０１２７】
また、上記実施の形態において、垂直配管４９と円板状のフィン６１との間に複数枚の案内羽根を放射状に配設すると共に、フィン６１に周縁部にＬ形の立上部に複数の放射孔を適宜の間隔を存して設ける構成としてもよい。
【０１２８】
このような構成とすれば、垂直配管４９の各流出孔４から凝縮水が液滴となってフィン６１に流出すると、この液滴は各案内羽根によって囲まれた空間部に溜まり、やがてＬ形の立上部に有する放射孔より再度液滴となって低圧ドレンタンク内に流下するので、前述同様の作用効果を得ることができる。
【０１２９】
図１７は本発明の第１６の実施の形態における低圧ドレンタンク内に挿入された垂直配管の一部を示す構成説明図である。
【０１３０】
第１６の実施の形態では、図１７に示すように低圧ドレンタンク２１３内の液面２２４より上方の垂直配管４９の周面に複数の流出孔４を適宜の間隔を存して周方向及び軸方向にそれぞれ設け、また垂直配管４９の外周面に各孔位置と重ならないように螺旋状フイン６８を取付ける構成としたものである。
【０１３１】
このような構成の本実施の形態によれば、原子炉圧力容器で発生した酸素等の非凝縮性ガスが凝縮水と一緒に垂直配管４９の複数の流出孔４から液滴３として噴出すると、この液滴３は螺旋状フィン６８に沿って流下するが、その過程で再度液滴３となって落下することで低圧ドレンタンク２１６内に遠心力で飛散させることができる。
【０１３２】
従って、従来のように凝縮水を一様に流下させる場合に比べて表面積が大きく、液滴表面からの非凝縮性ガスの溶出が多くなるため、ドレンタンク２１６に非凝縮性ガスを大量に吸引することができる。特に低流量運転の時、螺旋状フイン６８を伝わって液滴３となって飛散するため，その効果はより一層顕著になる。
【０１３３】
よって、本実施形態によれば、非凝縮性ガスを液滴３になった凝縮水の表面から大量にガス空間に抽出されるので、給水中の溶存酸素等の非凝縮性ガスの含有濃度を低減できる。
【０１３４】
上記実施の形態では、垂直配管４９の外周面に各孔位置と重ならないように螺旋状フイン６８を取付けるようにしたが、この垂直配管を内管としその外側にアニュラス部を存して外管を設けた垂直二重管構造とし、これら内管及び外管の周囲に複数の流出孔を周方向及び軸方向に適宜の間隔を存してそれぞれ設けるようにしても前述と同様の作用効果を得ることができる。
【０１３５】
図１８は本発明の第１７の実施の形態における復水器及びその近傍の概略構成を示す断面図で、図２３と同一部分には同一符号を付して説明する。
【０１３６】
図１８に示すように復水器２０６は、内部に冷却水給水システム２３１から送られる海水が導かれる伝熱管２３２及びその下方に配設された板２３３を備え、図示しないタービンの出口蒸気が蒸気流入管を経て復水器２０６に導かれ、冷却水給水システム２３１から送られる海水を伝熱管２３２内を通して管群内外で熱交換をし、凝縮水として板２３３に流下した後、低圧復水ポンプ２０７に至るようになっている。
【０１３７】
第１７の実施の形態では、このような構成の復水器２０６において、複水溜まりの液面上部近傍に多孔板１０１を水平に設けるようにしたものである。この多孔板１０１は、複数の流出孔１０２が板面に適宜の間隔を存してそれぞれ設けたものである。
【０１３８】
このような構成の第１７の実施の形態によれば、原子炉圧力容器で発生した酸素等の非凝縮性ガスを含む複水が熱交換された凝縮水として板２３３より液面２２４へ突入するときのエネルギーを多孔板１０１へ衝突させて分散させた後、流出孔１０２より液滴１０３として落下させることにより、液面２２４からのガスの随伴量を低減できる。従って、給水中の溶存酸素等の非凝縮性ガスの含有濃度を低減できる。
【０１３９】
上記第１７の実施の形態では、板２３３より多孔板１０１へ凝縮水を直接衝突させるようにしたが、板２３３と多孔板１０１との間にじゃま板を水平にして設け、非凝縮性ガスを含む復水が液面２２４へ突入するときのエネルギーをじゃま板１０４と水平多孔板１０１へ２段階衝突させて分散させるようにしても上記実施の形態と同様の作用効果を得ることができる。
【０１４０】
また、上記第１７の実施の形態において、多孔板を設けずに板２３３の下方に複数のしゃま板を水平にして階段状に配設し、凝縮水が上段から下段に順次流下させ、最下段のしゃま板より液滴として復水溜まりに落下させるようにしても前述同様の作用効果を得ることができる。
【０１４１】
ここで、各じゃま板に複数の流下孔をそれぞれ設け、この流下孔からも液滴を落下させるようにしてもよい。
【０１４２】
さらに、上記第１７の実施の形態において、多孔板を設けずに板２３３の下方に板２３３から流下する凝縮水を溜める堰を水平に設け、この堰から徐々に凝縮水が溢れでるようにしてもよい。
【０１４３】
また、上記第１７の実施の形態において、多孔板を設けずに板２３３の下方に複数の山形状の板を水平状態に並設し、板２３３から流下する凝縮水を山形板１１４へ衝突させることにより酸素等の非凝縮性ガスを含む復水が液面２２４へ突入するときのエネルギーを分散させるようにしても、前述と同様の作用効果を得ることができる。
【０１４４】
上記第１７の実施の形態において、多孔板を設けずに板２３３の下方に底面に複数の流出孔を有し、且つ内部に金タワシを挿入した受皿を設け、この受皿に板２３３から流下する凝縮水を受皿へ衝突させた後、流出孔より凝縮水を液滴として落下させるようにしても前述と同様の作用効果を得ることができる。
【０１４５】
さらに、上記第１７の実施の形態において、多孔板を設けずに板２３３の下方に突部流出孔付き多孔板を水平に設け、酸素等の非凝縮性ガスを含む復水が液面２２４へ突入するときのエネルギーを突部流出孔付き多孔板へ衝突させて分散させた後、突部流出孔より復水溜め部に落下させるようにしても前述同様の作用効果を得ることができる。
【０１４６】
図１９は本発明の第１８の実施の形態における復水器及びその近傍の概略構成を示す断面図である。
【０１４７】
第１８の実施の形態では、図１９に示すように復水器２０６内の複水溜まりの液面直下に多孔板１２８を水平に設けるようにしたものである。この多孔板１２８は、複数の流出孔１０２が板面に適宜の間隔を存してそれぞれ設けたものである。
【０１４８】
このような構成の第１８の実施の形態によれば、原子炉圧力容器で発生した酸素等の非凝縮性ガスを含む複水が熱交換された凝縮水として板２３３より液面２２４へ突入するときのエネルギーを多孔板１２８へ衝突させることにより、液面２２４からのガスの随伴量を低減できる。従って、給水中の溶存酸素等の非凝縮性ガスの含有濃度を低減できる。
【０１４９】
上記第１８の実施の形態において、さらに複水溜まりの液面上部近傍にも多孔板１０１を水平に設けることにより、酸素等の非凝縮性ガスを含む復水が液面２２４へ突入するときのエネルギーを液面上部近傍の多孔板と液面直下に設けた水平多孔板１２８へ衝突させて分散させることができ、前記実施の形態に比べてより顕著な作用効果を得ることができる。
【０１５０】
上記第１８の実施の形態では、復水器２０６内の複水溜まりの液面直下に多孔板１２８を水平に設けたが、これに代えて複水溜まりの液面近傍に複数のボール状のうき１８８を浮かせるようにしてもよい。
【０１５１】
このような構成としても、酸素等の非凝縮性ガスを含む復水が液面へ突入するときのエネルギーを液面に浮かせた複数のボール状のうき１８８へ衝突させることにより分散させ、液面からのガスの随伴量を低減できる。
【０１５２】
ここで、液面に浮くボール状のうき１８８と液面下に沈む大密度ボール状のうき１８９を滝流れの緩衝材として設けるようにしてもよい。さらに、これらのボール状のうきをそれぞれ鎖状のもので接続するようにしてもよい。
【０１５３】
図２０は本発明の第１９の実施の形態における復水器及びその近傍の概略構成を示す断面図である。
【０１５４】
第１９の実施の形態では、図２０に示すように復水器２０６内の復水の落下部に受け容器１３９を設け、その下部に有する下降管１４１からの滝流れを受ける多孔受け皿１４０を水平に設けるようにしたものである。
【０１５５】
このような構成の第１９の実施の形態によれば、原子炉圧力容器で発生した酸素等の非凝縮性ガスを含む復水が液面２２４へ突入するときのエネルギーを液面近傍に設けた受容器１３９で受け、その下部に有する下降管１４１からの滝流れを多孔受け皿１４０に衝突させて分散させることにより、液面からのガスの随伴量を低減できる。従って、給水中の溶存酸素等の非凝縮性ガスの含有濃度を低減できる。
【０１５６】
ここで、上記実施の形態において、下降管の下方に設けられた多孔受け皿に半球状のブロックを設け、その球面に滝流れを衝突するようにしても前述同様の作用効果を得ることができる。
【０１５７】
図２１は本発明の第２０の実施の形態における復水器内の受け容器の下部に有する下降管に接続されたドーナツ状の多孔管を示す斜視図である。
【０１５８】
第２０の実施の形態では、図２１に示すように復水器内に設けられた図示しない受け容器に連通する下降管１４１の下部に対応させてこの下降管を中心に周面に多数の流出孔を有するドーナツ状の管１５１を水平状態に配設すると共に、このドーナツ状の管１５１と下降管１４１との間を複数本の連通管１５０により接続するようにしたものである。
【０１５９】
このような構成としても、原子炉圧力容器で発生した酸素等の非凝縮性ガスを含む復水が液面へ突入するときのエネルギーを液面近傍に設けた下降管１４１から周方向に連通管１５０を通してドーナツ状の管１５１に流入した後、流出孔から液滴として噴出して分散させることができるので、前述同様に液面からのガスの随伴量を低減できる。
【０１６０】
上記実施の形態において、受け容器の下部に有する下降管１４１にスリット流出孔を有する多孔板を水平に取付け、このスリット流出孔から多孔板に流れた後、液面に液滴として分散させるようにしても前述同様の作用効果を得ることができる。
【０１６１】
また、上記実施の形態において、受け容器の下部に有する下降管１４１の下部にサポートを介して流線形状の案内羽根を備えた円板状の底板を取付けるようにしてもよい。
【０１６２】
このような構成としても、原子炉圧力容器で発生した酸素等の非凝縮性ガスを含む復水が液面へ突入するときのエネルギーを液面近傍に設けた下降管から案内羽根を備えた底板に流入させて液面への流れを案内羽根による遠心力により液滴流れにして分散させることができるので、前述同様に液面からのガスの随伴量を低減できる。
【図面の簡単な説明】
【０１６３】
【図１】本発明の第１の実施の形態における給水加熱系の循環ループの一部に設けられる低圧ドレンタンク及びその周辺部の概略構成を示す断面図。
【図２】同実施の形態における低圧ドレンタンク内に導入される配管の他の構成例の説明図。
【図３】本発明の第２の実施の形態における低圧ドレンタンク内に導入される配管の一部を示す断面図。
【図４】本発明の第３の実施の形態における低圧ドレンタンク内に導入される配管を示す正面図。
【図５】本発明の第４の実施の形態における低圧ドレンタンクに導入される配管の一部を示す構成図。
【図６】本発明の第５の実施の形態における低圧ドレンタンクに導入される配管の一部を示す構成図。
【図７】本発明の第６の実施の形態における低圧ドレンタンクに導入される配管の一部を示す断面図。
【図８】本発明の第７の実施の形態における低圧ドレンタンクに導入される配管の一部を示す構成説明図。
【図９】本発明の第８の実施の形態における低圧ドレンタンクに導入される配管の一部を示す構成説明図。
【図１０】本発明の第９の実施の形態における低圧ドレンタンクに導入される配管の一部を示す構成説明図。
【図１１】本発明の第１０の実施の形態における低圧ドレンタンクと配管の端部との接続部を示す構成説明図。
【図１２】本発明の第１１の実施の形態における低圧ドレンタンクと配管の端部との接続部を示す構成説明図。
【図１３】本発明の第１２の実施の形態における低圧ドレンタンク及びその周辺機器の構成説明図。
【図１４】本発明の第１３の実施の形態における低圧ドレンタンク及びその周辺機器の構成説明図。
【図１５】本発明の第１４の実施の形態における低圧ドレンタンク内に挿入された垂直配管の一部を示す構成説明図。
【図１６】本発明の第１５の実施の形態における低圧ドレンタンク内に挿入された垂直配管の一部を示す構成説明図。
【図１７】本発明の第１６の実施の形態における低圧ドレンタンク内に挿入された垂直配管の一部を示す構成説明図。
【図１８】本発明の第１７の実施の形態における復水器及びその近傍の概略構成を示す断面図。
【図１９】本発明の第１８の実施の形態における復水器及びその近傍の概略構成を示す断面図。
【図２０】本発明の第１９の実施の形態における復水器及びその近傍の概略構成を示す断面図。
【図２１】本発明の第２０の実施の形態における復水器内の受け容器の下部に有する下降管に接続されたドーナツ状の多孔管を示す斜視図。
【図２２】沸騰水型原子炉の給水加熱系の循環ループの概略構成を示す系統図。
【図２３】同じく給水加熱系において、従来の低圧ドレンタンク及びその周辺機器の構成の概要並びに加熱蒸気水の凝縮水の流れを示す図。
【図２４】同じく給水加熱系において、従来の復水器の概略を示す構成説明図。
【符号の説明】
【０１６４】
１……配管、２……端栓、３……液滴、４……流出孔、１２……先端絞り付き流出孔、１３……中間絞り付き流出孔、１４……上流絞り付き流出孔、１７……旋回噴射ノズル、１９……球状の管、２２……枝状の管、２６……じゃま板、２８……Ｌ型フイン、２９……切り欠きフイン、３０……切欠部、３４……回転散水多孔羽根、３５……外管、３６……流出孔、３８……箱形多孔板、４４……内側箱型多孔板、４５……外側箱型多孔板、４８……多孔板、４９……垂直管、５５……オリフイス、６０……切欠部、６１……切り欠き付きフイン、６８……螺旋状フイン、１０１……多孔板、１０２……流出孔、１０３……液滴、１２８……多孔板、１３９……受け容器、１４０……多孔受け皿、１４１……下降管、１５０……連通管、１５１……ドーナツ状の管、２０１……原子炉圧力容器、２０２……炉心、２０３……ポンプ、２０４……主蒸気配管、２０５……タービン、２０６……復水器、２０７……低圧復水器ポンプ、２０８……空気抽出器、２０９……オフガス処理系、２１０……排気筒、２１１……高圧復水ポンプ、２１２……低圧ドレンポンプ、２１３……低圧ドレンタンク、２１４、２１５……低圧給水加熱器、２１６……オフガス抽出器、２１７……高圧給水加熱器、２１８……給水管、２１９……気水分離器、２２０……蒸気乾燥器、２２１……給水ポンプ、２２２……衝突板、２２３……ドーナツ板、２２４……液面、２２５……ガス、２３０……蒸気流入管、２３１……冷却水供給システム、２３３……板
【図１】
2008139017.tif 000003
【図２】
2008139017.tif 000004
【図３】
2008139017.tif 000005
【図４】
2008139017.tif 000006
【図５】
2008139017.tif 000007
【図６】
2008139017.tif 000008
【図７】
2008139017.tif 000009
【図８】
2008139017.tif 000010
【図９】
2008139017.tif 000011
【図１０】
2008139017.tif 000012
【図１１】
2008139017.tif 000013
【図１２】
2008139017.tif 000014
【図１３】
2008139017.tif 000015
【図１４】
2008139017.tif 000016
【図１５】
2008139017.tif 000017
【図１６】
2008139017.tif 000018
【図１７】
2008139017.tif 000019
【図１８】
2008139017.tif 000020
【図１９】
2008139017.tif 000021
【図２０】
2008139017.tif 000022
【図２１】
2008139017.tif 000023
【図２２】
2008139017.tif 000024
【図２３】
2008139017.tif 000025
【図２４】
2008139017.tif 000026